【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
有機ポリマー中に分散したアジドポリマー表面修飾ナノ粒子相を有する有機ポリマーを含むポリマー組成物。
【請求項２】
前記ナノ粒子が、前記アジドポリマーに共有又はイオン結合している、請求項１に記載のポリマー組成物。
【請求項３】
アジドポリマーの無機ナノ粒子に対する重量比が、２：１〜１：１０である、請求項１に記載のポリマー組成物。
【請求項４】
前記アジド含有量が、前記組成物の０．２５〜１０重量％である、請求項１に記載のポリマー組成物。
【請求項５】
前記アジドポリマーが、次式である、請求項１に記載の重合性組成物。
（Ｘ−（Ｒ）ｎ）ｍ−Ｌ（Ｉ）
（式中、Ｘはヒドロキシル基、アジド基、メルカプト基、アルコキシ基、ニトロ基、シアノ基、又はアミノ基を表し、
Ｒは環状エーテル由来の−Ｎ３基を含有する二価モノマー基を表し、
Ｌはアルキルラジカルを表し、
ｍは１〜６であってよく、及び
ｎは少なくとも１と等しい自然数を表す）。
【請求項６】
前記ナノ粒子が、シリカナノ粒子であり、及び前記アジドポリマーが両親媒性（ambiphilic）シランカップリング剤によって前記ナノ粒子の表面に結合されている、請求項２に記載のポリマー組成物。
【請求項７】
前記両親媒性（ambiphilic）シランカップリング剤が、次式である請求項６に記載のポリマー組成物。Ｑａ−Ｒ３−Ｓｉ−（Ｙ）ｂ（Ｒ４）３−ｂ（ＩＩＩ）
（式中、
Ｒ３は、炭素数約１〜２０の置換又は非置換の二価炭化水素架橋基であり、−Ｏ−、−Ｃ（Ｏ）−、−Ｓ−、−ＳＯ２−１及びＲ５が水素、アセチル、又は炭素数１〜６のアルキル基である、ＮＲ５−基から成る群から選択される１〜５の骨格部分を含むか、または含まず、
Ｙは、Ｒ６が炭素数１〜８のアルキル基、アリール基、ヘテロアリール基、又はアラルキル基である、−ＯＲ６であり、
Ｒ４は、酸素、窒素、及び／又は硫黄原子で利用可能な部位が置換されているか、または置換されていない、互いに独立した炭素数１〜８のアルキル基、アリール基、アラルキル基又はアルコキシ基であり、
ａは１〜２であり、
ｂは１〜３であり、
Ｑは、アジドポリマーのＸ基の相補的官能基と反応し得る、反応性官能基である。）
【請求項８】
前記アジド官能化ナノ粒子が、次式のアジドポリマーで表面修飾されている、請求項１に記載のポリマー組成物。
Ｌ−（Ｒ）ｎ−Ｑ’−Ｒ３−Ｓｉ−（Ｙ）ｂ（Ｒ４）３−ｂ  （ＩＶ）
（Ｌはアルキルラジカルを表し、
Ｒは環状エーテル由来の−Ｎ３基を含有する二価モノマー基を表し、
ｎは少なくとも１と等しい自然数を表し、
Ｑ’は二価結合基であり、
Ｒ３は、炭素数約１〜２０の置換又は非置換の二価炭化水素架橋基であり、−Ｏ−、−Ｃ（Ｏ）−、−Ｓ−、−ＳＯ２−及びＲ５が水素、アセチル、又は炭素数１〜６のアルキル基である、−ＮＲ５−基から成る群から選択される１〜５の骨格部分を含むか、または含まず、
Ｙは、Ｒ６が炭素数１〜８のアルキル基、アリール基、ヘテロアリール基、又はアラルキル基である、−ＯＲ６であり、
Ｒ４は、酸素、窒素、及び／又は硫黄原子で利用可能な部位が置換されているか、または置換されてない、互いに独立した炭素数１〜８のアルキル基、アリール基、アラルキル基又はアルコキシ基であり、及び
ｂは１〜３である。）
【請求項９】
アジドポリマー表面修飾ナノ粒子相及び１以上の重合性モノマー類を含む組成物を含んで成る重合性組成物。
【手続補正２】
【補正対象書類名】明細書
【補正対象項目名】００９５
【補正方法】変更
【補正の内容】
【００９５】
比較例２
イソオクチル修飾シリカナノ粒子で気泡安定化されたＩＯＡ／ＡＡ
ＩＯＡ／ＡＡシロップ剤（２．０ｇ）を、２−エチルヘキシルアクリレート５０重量％とイソオクチル修飾シリカナノ粒子５０重量％の混合物２．０ｇと組み合わせた。「Ｃ」フリット化ガス分散チューブを用いて混合物中に導入された窒素ガスで混合物を発砲させた。次いで、泡の一部を５．１センチメートル（２インチ）×７．６センチメートル（３インチ）のスライドグラス上に注ぎ、スライドグラスをフュージョン「Ｄ」バルブを備えた硬化室中を通過させて光硬化した。光硬化された泡の寸法を測定した。スライドグラスをドラフト内のラックに垂直にぶら下げ、プロパントーチを用いて光硬化された泡の下縁部に点火した。泡への点火後、トーチを除去し、泡が、本質的に炭化せずに燃焼し、収縮及び流動していたことが観察された。燃焼泡は自消性でないことが観察された。燃焼泡の寸法を測定し、厚さが５３％減少していることを見出した。
以下に、本願発明に関連する発明の実施の形態を列挙する。
実施形態１
有機ポリマー中に分散したアジドポリマー表面修飾ナノ粒子相を有する有機ポリマーを含むポリマー組成物。
実施形態２
前記ナノ粒子相の前記粒子の平均粒子サイズが、５〜１００ナノメートルである、実施形態１に記載のポリマー組成物。
実施形態３
前記有機ポリマーが、熱可塑性及び熱硬化性ポリマー類から選択される、実施形態１に記載のポリマー組成物。
実施形態４
前記アジドポリマーが、前記ナノ粒子にコーティングされている、実施形態１に記載のポリマー組成物。
実施形態５
前記ナノ粒子が、前記アジドポリマーに共有又はイオン結合している、実施形態１に記載のポリマー組成物。
実施形態６
アジドポリマーの無機ナノ粒子に対する重量比が、２：１〜１：１０である、実施形態１に記載のポリマー組成物。
実施形態７
前記アジドポリマーが、５〜５０重量％の前記アジドポリマー官能化ナノ粒子相を含む、実施形態１に記載のポリマー組成物。
実施形態８
前記アジド含有量が、前記組成物の０．２５〜１０重量％である、実施形態１に記載のポリマー組成物。
実施形態９
前記ナノ粒子が、シリカ、チタニア、アルミナ、ジルコニア、ヴァナディア（vanadia）、セリア、酸化鉄、酸化アンチモン、酸化スズ、アルミニウム／シリカ及びそれらの組み合わせである、実施形態１に記載のポリマー組成物。
実施形態１０
前記アジドポリマーが、次式である、実施形態１に記載のポリマー組成物。
（Ｘ−（Ｒ）ｎ）ｍ−Ｌ（Ｉ）
（式中、Ｘはヒドロキシル基、アジド基、メルカプト基、アルコキシ基、ニトロ基、シアノ基、又はアミノ基を表し、
Ｒは環状エーテル由来の−Ｎ３基を含有する二価モノマー基を表し、
Ｌはアルキルラジカルを表し、
ｍは１〜６であってよく、及び
ｎは少なくとも１に等しい自然数を表す。）
実施形態１１
前記アジドポリマーのＲが、−ＣＨ２ＣＨ（ＣＨ２Ｎ３）Ｏ−、−ＣＨ２Ｃ（ＣＨ３）（ＣＨ２Ｎ３）ＣＨ２Ｏ−、ＣＨ（ＣＨ２Ｎ３)ＣＨ２Ｏ−、−ＣＨ２Ｃ（ＣＨ２Ｎ３）２ＣＨ２Ｏ−、−ＣＨ（ＣＨ２Ｎ３）ＣＨ（ＣＨ２Ｎ３）Ｏ−、及び−ＣＨ２ＣＨ（Ｎ３）ＣＨ２Ｏ−から選択される、実施形態１０に記載のポリマー組成物。
実施形態１２
前記アジドポリマーが、７００〜１０，０００の数平均分子量を有する、実施形態１０に記載のポリマー組成物。
実施形態１３
前記ナノ粒子が、シリカナノ粒子であり、及び前記アジドポリマーが両親媒性（ambiphilic）シランカップリング剤によって前記ナノ粒子の表面に結合されている、実施形態５に記載のポリマー組成物。
実施形態１４
前記両親媒性（ambiphilic）シランカップリング剤が、次式である実施形態１３に記載のポリマー組成物。Ｑａ−Ｒ３−Ｓｉ−（Ｙ）ｂ（Ｒ４）３−ｂ（ＩＩＩ）
（式中、
Ｒ３は、炭素数約１〜２０の置換又は非置換の二価炭化水素架橋基であり、−Ｏ−、−Ｃ（Ｏ）−、−Ｓ−、−ＳＯ２−１及びＲ５が水素、アセチル、又は炭素数１〜６のアルキル基である、ＮＲ５−基から成る群から選択される１〜５の骨格部分を含むか、または含まず、
Ｙは、Ｒ６が炭素数１〜８のアルキル基、アリール基、ヘテロアリール基、又はアラルキル基である、−ＯＲ６であり、
Ｒ４は、酸素、窒素、及び／又は硫黄原子で利用可能な部位が置換されているか、または置換されていない、互いに独立した炭素数１〜８のアルキル基、アリール基、アラルキル基又はアルコキシ基であり、
ａは１〜２であり、
ｂは１〜３であり、
Ｑは、アジドポリマーのＸ基の相補的官能基と反応し得る、反応性官能基である。）
実施形態１５
前記アジドポリマー官能化ナノ粒子が、表面修飾剤をさらに含む、実施形態１に記載のポリマー組成物。
実施形態１６
前記アジド官能化ナノ粒子が、次式のアジドポリマーで表面修飾されている、実施形態１に記載のポリマー組成物。
Ｌ−（Ｒ）ｎ−Ｑ’−Ｒ３−Ｓｉ−（Ｙ）ｂ（Ｒ４）３−ｂ  （ＩＶ）
（Ｌはアルキルラジカルを表し、
Ｒは環状エーテル由来の−Ｎ３基を含有する二価モノマー基を表し、
ｎは少なくとも１と等しい自然数を表し、
Ｑ’は二価結合基であり、
Ｒ３は、炭素数約１〜２０の置換又は非置換の二価炭化水素架橋基であり、−Ｏ−、−Ｃ（Ｏ）−、−Ｓ−、−ＳＯ２−及びＲ５が水素、アセチル、又は炭素数１〜６のアルキル基である、−ＮＲ５−基から成る群から選択される１〜５の骨格部分を含むか、または含まず、
Ｙは、Ｒ６が炭素数１〜８のアルキル基、アリール基、ヘテロアリール基、又はアラルキル基である、−ＯＲ６であり、
Ｒ４は、酸素、窒素、及び／又は硫黄原子で利用可能な部位が置換されているか、または置換されてない、互いに独立した炭素数１〜８のアルキル基、アリール基、アラルキル基又はアルコキシ基であり、及び
ｂは１〜３である。）
実施形態１７
アジドポリマー表面修飾ナノ粒子相及び１以上の重合性モノマー類を含む組成物を含んで成る重合性組成物。
実施形態１８
前記重合性モノマー類が、フリーラジカル性重合性モノマー類、カチオン性重合性モノマー類、付加重合性モノマー類、及び縮合重合性モノマー類から成る群から選択される、実施形態１７に記載の重合性組成物。
実施形態１９
前記アジド含有量が、前記組成物の０．２５〜１０重量％である、実施形態１７に記載の重合性組成物。
実施形態２０
前記アジドポリマーが、次式である、実施形態１７に記載の重合性組成物。
（Ｘ−（Ｒ）ｎ）ｍ−Ｌ（Ｉ）
（式中、Ｘはヒドロキシル基、アジド基、メルカプト基、アルコキシ基、ニトロ基、シアノ基、又はアミノ基を表し、
Ｒは環状エーテル由来の−Ｎ３基を含有する二価モノマー基を表し、
Ｌはアルキルラジカルを表し、
ｍは１〜６であってよく、及び
ｎは少なくとも１と等しい自然数を表す）。
実施形態２１
前記アジド官能化ナノ粒子が、次式のアジドポリマーで表面修飾されている、実施形態１７に記載の重合性組成物。
Ｌ−（Ｒ）ｎ−Ｑ’−Ｒ３−Ｓｉ−（Ｙ）ｂ（Ｒ４）３−ｂ  （ＩＶ）
（Ｌはアルキルラジカルを表し、
Ｒは環状エーテル由来の−Ｎ３基を含有する二価モノマー基を表し、
ｎは少なくとも１に等しい自然数を表し、
Ｑ’は二価結合基であり、
Ｒ３は、炭素数約１〜２０の置換又は非置換の二価炭化水素架橋基であり、−Ｏ−、−Ｃ（Ｏ）−、−Ｓ−、−ＳＯ２−及びＲ５が水素、アセチル、又は炭素数１〜６のアルキル基である、−ＮＲ５−基から成る群から選択される１〜５の骨格部分を含むか、または含まず、
Ｙは、Ｒ６が炭素数１〜８のアルキル基、アリール基、ヘテロアリール基、アラルキル基である、−ＯＲ６であり、
Ｒ４は、酸素、窒素、及び／又は硫黄原子で利用可能な部位が置換されているか、または置換されていない、互いに独立した炭素数１〜８のアルキル基、アリール基、アラルキル基又はアルコキシ基であり、及び
ｂは１〜３である）。
実施形態２２
次式のアジドポリマー。
Ｌ−（Ｒ）ｎ−Ｑ’−Ｒ３−Ｓｉ−（Ｙ）ｂ（Ｒ４）３−ｂ  （ＩＶ）
Ｌはアルキルラジカルを表し、
Ｒは環状エーテル由来の−Ｎ３基を含有する二価モノマー基を表し、
ｎは少なくとも２に等しい自然数を表し、
Ｑは二価結合基であり、
Ｒ３は、炭素数約１〜２０の置換又は非置換の二価炭化水素架橋基であり、−Ｏ−、−Ｃ（Ｏ）−、−Ｓ−、−ＳＯ２−及びＲ５が水素、アセチル、又は炭素数１〜６のアルキル基である、−ＮＲ５−基から成る群から選択される１〜５の骨格部分を含むか、または含まず、
Ｙは、Ｒ６が炭素数１〜８のアルキル基、アリール基、ヘテロアリール基、又はアラルキル基である、−ＯＲ６であり、
Ｒ４は、酸素、窒素、及び／又は硫黄原子で利用可能な部位が置換されているか、または置換されていない、互いに独立した炭素数１〜８のアルキル基、アリール基、アラルキル基又はアルコキシ基であり、及び
ｂは１〜３である。）
実施形態２３
アジドポリマー表面修飾無機ナノ粒子。